(57)【特許請求の範囲】
【請求項１】
第１の表示領域を有する第１の表示部と、
前記第１の表示領域と境界部を介して隣り合って配置された第２の表示領域を有する第２の表示部と、
前記第１及び第２の表示領域上に配置された第１の導光部と、
前記第１の導光部上に配置された第２の導光部と、
を備え、
前記第１及び第２の導光部は、
複数の繊維状の結晶を有する結晶構造であり、
前記第１の表示領域に表示される画像と、前記第２の表示領域に表示される画像と、が連続した画像となるように、前記第１及び第２の表示部が出力する表示光をそれぞれ前記境界部の方向に導光し、
前記第１及び第２の表示部は、液晶表示装置であり、
前記第１の導光部は、前記液晶表示装置を構成するガラス板である、
携帯端末。
【請求項２】
前記複数の繊維状の結晶は、実質的に平行に配列している請求項１に記載の携帯端末。
【請求項３】
前記第１及び第２の導光部は、ウレキサイトからなる請求項２に記載の携帯端末。
【請求項４】
前記第１及び第２の導光部は、前記第１及び第２の表示部が表示する画像サイズを維持したまま、当該第１及び第２の表示部が出力する表示光を導光する請求項１〜３のいずれか一項に記載の携帯端末。
【請求項５】
前記第１の表示部は、第１の筐体に格納され、前記第２の表示部は、前記第１の筐体とは異なる第２の筐体に格納されており、
前記第１及び第２の筐体は、ヒンジ部により折り畳み可能に連結されている請求項１〜４のいずれか一項に記載の携帯端末。
【請求項６】
前記第１及び第２の導光部が強化処理されている請求項１〜５のいずれか一項に記載の携帯端末。
【発明の詳細な説明】
【技術分野】
【０００１】
本発明は携帯端末に関し、特に複数の表示部を有する携帯端末に関する。
【背景技術】
【０００２】
現在、モバイル機器のディスプレイパネルは、表示データの容量増大に対する需要や、製造技術の進歩によって、大画面化、高精細化が図られている。携帯電話端末においては、端末筐体に納まる範囲で最大サイズのディスプレイパネルが用いられている。そのため、携帯電話端末は、端末内部の構造及びクリアランスを可能な限り詰めて設計されている。しかし、今後、携帯電話端末のディスプレイは更なる大画面化が求められ、より大きな表示領域を有するディスプレイパネルの搭載が望まれている。
【０００３】
一方、携帯電話端末に搭載するディスプレイパネルサイズは、端末の携帯性とトレードオフの関係にある。そのため、ディスプレイパネルサイズを大きくすると、端末の大きさが必然的に大きくなる。つまり、携帯電話端末の携帯性が低下してしまう。したがって、携帯性を低下させずに、ディスプレイを大画面化することが望ましいが、１枚のディスプレイパネルにより携帯性及び大画面化の双方を実現することは困難である。そこで、複数のディスプレイパネルを用いて、一つの画像を表示することにより、表示エリアの拡大を図る技術が開発されている。
【０００４】
特許文献１には、２つの平板表示素子の画面の表面に多数の傾斜薄膜及び透明体を設けたマルチディスプレイ装置が開示されている。多数の傾斜薄膜のそれぞれの間に透明体を設けることにより、当該透明体を通過する表示光の経路を平板表示素子間の境界部方向へ誘導する。そのため、境界部付近の表示光は、境界部上に出射されるため、表示エリアが境界部により分離して表示されることを防止できる。
【０００５】
特許文献２には、隙間を空けて配置された２つのＬＣＤ（Liquid Crystal Display）の表示面側にレンズアレイ及び偏向素子を備える表示装置が開示されている。レンズアレイは、一方のＬＣＤの表示光を平行光に変換する。そして、偏向素子が平行光を他方のＬＣＤの方向に偏向する。これにより、２つのＬＣＤ間の隙間が表示されないため、２つのＬＣＤにより連続した一つの画像を表示する。
【先行技術文献】
【特許文献】
【０００６】
【特許文献１】特開２００１−５４１４号公報
【特許文献２】特開２００１−３５０４２８号公報
【発明の概要】
【発明が解決しようとする課題】
【０００７】
しかしながら、特許文献１に記載のマルチディスプレイ装置は、画面の表面側に多数の傾斜薄膜が設けられている。そのため、当該傾斜薄膜の存在により表示エリアにストライプまたはグリッドの模様が映し出され、表示エリアに表示された画像が異質的に見えてしまうという問題があった。
【０００８】
さらに、特許文献２に記載の表示装置は、偏向素子に対して平行光を入射しなければならない。そのため、ＬＣＤの表示光を平行光にするレンズアレイが別途必要となり、表示装置全体として厚くなる。つまり、携帯性が低下するという問題もあった。
【０００９】
本発明は、このような問題を解決するためになされたものであり、画像品質及び携帯性を維持したまま、大画面表示が可能である携帯端末を提供することを目的としている。
【課題を解決するための手段】
【００１０】
本発明にかかる携帯端末は、第１の表示領域を有する第１の表示部と、前記第１の表示領域と境界部を介して隣り合って配置された第２の表示領域を有する第２の表示部と、前記第１及び第２の表示領域側に設けられ、前記第１の表示領域に表示される画像と、前記第２の表示領域に表示される画像と、が連続した画像となるように、前記第１及び第２の表示部が出力する表示光を導光する導光部と、を備え、前記導光部は、複数の繊維状の結晶を有する結晶構造である。
【発明の効果】
【００１１】
本発明により、画像品質及び携帯性を維持したまま、大画面表示が可能である携帯端末を提供することができる。
【図面の簡単な説明】
【００１２】
【図１】実施の形態１にかかる携帯端末の上面図である。
【図２】実施の形態１にかかる携帯端末の断面図である。
【図３】実施の形態１にかかる携帯端末の部分拡大断面図である。
【図４】実施の形態２にかかる携帯端末の上面図である。
【図５】実施の形態２にかかる携帯端末の断面図である。
【発明を実施するための形態】
【００１３】
実施の形態１
以下、図面を参照して本発明の実施の形態について説明する。図１は本実施の形態にかかる携帯端末１の上面図を示す図である。図２は図１のＩＩ−ＩＩ線の矢視方向の断面図である。携帯端末１は、導光部１０、第１の表示部２１、第２の表示部２２、筐体３０を備える。なお、携帯端末とは、例えば、携帯電話機、携帯オーディオプレーヤー、携帯ゲーム機等である。
【００１４】
第１の表示部２１と第２の表示部２２とは、筐体３０に格納され、隣り合って配置されている。第１の表示部２１は、第１の内部表示エリア２１１（第１の表示領域）から第１の外観表示エリア４１に画像を表示するための表示光を出力する。第２の表示部２２も同様に、第２の内部表示エリア２２１（第２の表示領域）から第２の外観表示エリア４２に画像を表示するための表示光を出力する。第１及び第２の表示部２１、２２は、例えばＬＣＤである。ここで、第１及び第２の内部表示エリア２１１、２２１とは、第１及び第２の表示部２１、２２において、第１及び第２の表示部２１、２２が出力した表示光（画像）が表示される領域を意味する。第１及び第２の外観表示エリア４１、４２とは、導光部１０上において、実際に画像が表示される領域、つまり、携帯端末１のユーザが実際に画像を視認する領域を意味する。
【００１５】
このとき、第１の表示部２１において、画素配線等の関係上、第１の内部表示エリア２１１の周囲（図２において、第１の内部表示エリア２１１の左右）に額縁が必要となる。第２の表示部２２においても同様に、額縁が必要となる。そのため、第１の内部表示エリア２１１と第２の内部表示エリア２２１は、額縁９１及び額縁９２からなる境界部９０を介して隣り合って配置される。
【００１６】
導光部１０は、第１及び第２の表示部２１、２２の表示面側、つまり、第１及び第２の内部表示エリア２１１、２２１側に設けられている。なお、導光部１０には強化処理が施されていることが好ましい。強化処理を施すことにより、導光部１０自体を携帯端末１の画面スクリーンとして用いることができる。そのため、別途画面スクリーンを備える必要がなく、携帯端末１の部品点数を増やさなくて済む。
【００１７】
導光部１０は、第１の内部表示エリア２１１に表示される画像と、第２の内部表示エリア２２１に表示される画像とが、連続した画像となるように、第１及び第２の表示部２１、２２が出力する表示光を導光する。つまり、導光部１０は、導光部１０の表面において、第１及び第２の外観表示エリア４１、４２が接するように表示光を導光する。なお、本実施の形態においては、導光部１０は、第１の外観表示エリア４１と第２の外観表示エリア４２との境界で分かれている２つの部材から構成されてもよいし、当該境界において分かれていない単一の部材から構成されていてもよい。
【００１８】
具体的には、導光部１０は、第１の内部表示エリア２１１から出力される表示光を境界部９０の方向（図２において右側）にずらして表示する。一方、導光部１０は、第２の内部表示エリア２２１から出力される表示光を境界部９０の方向（図２において左側）にずらして表示する。より詳細には、導光部１０は、第１及び第２の内部表示エリア２１１、２２１から出力される表示光を斜め上方向（図３の矢印方向）に導光する。なお、図３は境界部９０付近の拡大断面図である。
【００１９】
これにより、携帯端末１は、境界部９０の上方において、第１及び第２の内部表示エリア２１１、２２１に表示される画像を、連続させて表示することができる。図２及び図３においては、境界部９０の中央において第１及び第２の外観表示エリア４１、４２が接している。これにより、携帯端末１のユーザからは、第１の外観表示エリア４１と第２の外観表示エリア４２とに表示された画像の間に境界部９０が見えない。つまり、第１及び第２の外観表示エリア４１、４２を合わせた一つの大画面としてユーザの目に映る。勿論、第１及び第２の外観表示エリア４１、４２に表示される画像と第１及び第２の内部表示エリア２１１、２２１に表示される画像とは、同一の画像である。
【００２０】
さらに、導光部１０は、複数の繊維状の結晶を有する結晶構造を有している。例えば、導光部１０はウレキサイト等により構成される。第１の内部表示エリア２１１から出力された表示光は、導光部１０の繊維状の結晶を通過し、第１の外観表示エリア４１に表示される。同様に、第２の内部表示エリア２２１から出力された表示光は、導光部１０の繊維状の結晶を通過し、第２の外観表示エリア４２に表示される。
【００２１】
このとき、導光部１０が有する複数の繊維状の結晶は、その一つ一つをユーザが視認することができない程度に微小な結晶である。したがって、導光部１０を介して第１及び第２の外観表示エリア４１、４２に表示された画像において、ストライプやグリッド状の模様が見えることはない。
【００２２】
加えて、導光部１０は、繊維状の結晶に表示光を通過させるにより、表示光を導光している。言い換えると、導光部１０は、表示光を偏向させる偏向素子ではない。そのため、第１及び第２の内部表示エリア２１１、２２１から出力された表示光を導光部１０に入射する前に、当該表示光を平行光にする必要がない。
【００２３】
なお、導光部１０が有する複数の繊維状の結晶は、繊維の太さが均一であり、導光方向に対して実質的に平行に配列されていることが好ましい。これにより、第１及び第２の内部表示エリア２１１、２２１に表示された画像を第１及び第２の外観表示エリア４１、４２に平行移動させることができる。つまり、導光部１０の通過の前後において、画像の画素サイズ及び画素の位置関係が保たれる。
【００２４】
以上のように、本実施の形態にかかる携帯端末１において、導光部１０は、第１の内部表示エリア２１１に表示される画像と、第２の内部表示エリア２２１に表示される画像と、が連続した画像となるように、第１及び第２の表示部２１、２２が出力する表示光を導光する。そのため、第１の内部表示エリア２１１と第２の内部表示エリア２２１との間に境界部９０が存在する場合であっても、第１の外観表示エリア４１と第２の外観表示エリア４２とに表示される画像は連続的な画像となる。したがって、携帯端末１は、境界部９０が存在しない一つの大画面として画像を表示することができる。
【００２５】
さらに、導光部１０を構成する複数の繊維状の結晶は、ユーザが視認できない径である。そのため、第１及び第２の外観表示エリア４１、４２に表示される画像にストライプやグリッド状の線が見えることもない。したがって、画面品質を維持できる。
【００２６】
加えて、それぞれの結晶は、レンズのように表示光を偏向させるのではなく、光ファイバのように表示光を導光する。そのため、第１及び第２の内部表示エリア２１１、２２１から出力されたままの表示光（拡散光）を導光可能である。つまり、表示光を平行光に変換するレンズ等を備える必要が無く、携帯端末１が分厚くなることを回避できる。したがって、携帯端末１の携帯性を維持できる。
【００２７】
実施の形態２
本発明にかかる実施の形態２について説明する。図４は本実施の形態にかかる携帯端末２の上面図を示す図である。図５は図４のＶ−Ｖ線の矢視方向の断面図である。携帯端末２は、図１に示した携帯端末１が備える筐体３０に代えて、第１の筐体３１、第２の筐体３２を備える。なお、その他の構成については携帯端末１と同様であるので、説明を省略する。
【００２８】
第１の表示部２１は、第１の筐体３１に格納されている。第２の表示部２２は、第２の筐体３２に格納されている。第１の筐体３１と第２の筐体３２はヒンジ５０により折り畳み可能に連結されている。
【００２９】
そのため、携帯端末２においては、第１の表示部２１と第２の表示部２２との間に、第１の筐体３１の額縁９３と第２の筐体３２の額縁９４が存在する。したがって、携帯端末２においては、第１の表示部２１の額縁９１、第２の表示部２２の額縁９２に加えて、第１の筐体３１の額縁９３及び第２の筐体３２の額縁９４を合わせた部分が境界部９０となる。
【００３０】
なお、上記のように、携帯端末２は、第１及び第２の筐体３１、３２を折り畳むことができる。そのため、第１の筐体３１上には導光部１０ａが設けられ、第２の筐体３２上には導光部１０ｂが設けられている。つまり、導光部は、単一の部材ではなく、第１の筐体３１と第２の筐体３２との境界上で導光部１０ａと導光部１０ｂとに別れている。さらに、携帯端末２の開状態において、導光部１０ａのエッジ位置は第１の筐体３１のエッジ位置（ヒンジ５０側）と合うように設計され、導光部１０ｂのエッジ位置は、第２の筐体３２のエッジ位置（ヒンジ５０側）と合うように設計されている。
【００３１】
本実施の形態においても、導光部１０ａ、１０ｂは、実施の形態１と同様に表示光を導光する。具体的には、導光部１０ａは、第１の内部表示エリア２１１から出力された表示光を第１の筐体３１のエッジ（ヒンジ５０側）近傍まで導光する。同様に、導光部１０ｂは、第２の内部表示エリア２２１から出力された表示光を第２の筐体３２のエッジ（ヒンジ５０側）近傍まで導光する。言い換えると、導光部１０ａ、１０ｂは、第１及び第２の内部表示エリア２１１、２２１に表示された二つの画像が連続した画像となるように、第１及び第２の表示部２１、２２が出力する表示光を導光する。
【００３２】
以上のように、本実施の形態にかかる携帯端末２においては、第１の表示部２１を格納する第１の筐体３１と、第２の表示部２２を格納する第２の筐体３２とがヒンジ５０により折り畳み可能に連結されている。そのため、携帯端末２を持ち運ぶ際には、折り畳んで携帯できる。したがって、携帯性を向上させることができる。勿論、携帯端末２は、導光部１０ａ、１０ｂを備えるため、第１及び第２の外観表示エリア４１、４２に表示される画像は連続している。つまり、携帯端末２は大画面表示が可能となる。加えて、実施の形態１の携帯端末１と同様に、画像品質を維持することができ、かつ、携帯端末２が分厚くなることを回避できる。
【００３３】
その他の実施例
本発明にかかるその他の実施例について説明する。上記の実施の形態１、２においては、第１及び第２の表示部２１、２２は通常のＬＣＤ等の表示装置を用いていたが、ＬＣＤが有するガラス板として導光部１０を設けてもよい。具体的には、一般的なＬＣＤは、液晶が２枚のガラス板により挟まれて構成されている。そのガラス板のうち、表示面側のガラス板を強化処理を施した導光部１０としてもよい。これにより、携帯端末の画面スクリーンに用いられる導光部１０と、ガラス板に用いられる導光部１０とが重なり、二重の導光部１０を備える構成となる。その結果、ＬＣＤのガラス板として用いられている導光部１０と、画面スクリーンとして用いられる導光部１０とにより、二段階で表示光を導光できる。したがって、１つの導光部１０により導光する場合よりも、第１及び第２の表示部２１、２２からより離れた位置に画像を表示させることができる。
【００３４】
また、上述した実施の形態１、２においては、導光部１０を画面スクリーンとして用いていたが、画面スクリーンは通常の部品を用いて、導光部１０と同様の結晶構造を有するフィルムを当該画面スクリーンに貼り付けてもよい。
【００３５】
なお、本発明は上記実施の形態に限られたものではなく、趣旨を逸脱しない範囲で適宜変更及び組み合わせをすることが可能である。例えば、表示部の数は２つに限られるものではない。
【符号の説明】
【００３６】
１、２  携帯端末
１０  導光部
２１  第１の表示部
２２  第２の表示部
３０  筐体
３１  第１の筐体
３２  第２の筐体
４１  第１の外観表示エリア
４２  第２の外観表示エリア
５０  ヒンジ
９０  境界部
９１〜９４  額縁
２１１  第１の内部表示エリア
２２１  第２の内部表示エリア
【図１】
0005780578.tif 000002
【図２】
0005780578.tif 000003
【図３】
0005780578.tif 000004
【図４】
0005780578.tif 000005
【図５】
0005780578.tif 000006